(57)【要約】【課題】メンテナンス時に熱交換手段を取り出しやすくすることを目的とする。【解決手段】熱交換手段５を本体１下面に開口した内気吸込口６から挿入して本体１に係止させる構成としたので、メンテナンス時に低い高さにある内気吸込口６から熱交換手段５を取り外すことができ、踏み台などを使用しなくてもよくなって取り外し作業がしやすいものであり、また、メンテナンス口を本体１側面に設ける必要がなく、特にアイランドキッチン用として設置する場合など外観の良さを大きな価値として求められる場合に、熱交換手段５の取り出しやすさと外観のよさを両立させることができる。【選択図】図２
2013124817.tif 000002
【特許請求の範囲】
【請求項１】
下面に開口した内気吸込口と、側面に開口し外気を室内に給気する外気吹出口と、上面に開口した外気吸込口および内気吹出口とを有する、天井から懸架された本体と、
この本体内部に、
内気を吸込んで屋外へ排出する排気ファンと、
外気を吸込んで屋内へ吹出す給気ファンと、
内気と外気とを熱交換する熱交換手段と、
油滴を捕集するフィルタと、
前記内気吸込口、前記フィルタ、前記熱交換手段、前記排気ファン、前記内気吹出口の順に連通した排気風路と、
前記外気吸込口、前記給気ファン、前記熱交換手段、前記外気吹出口の順に連通した給気風路を備え、
前記熱交換手段が前記内気吸込口から挿入されて前記本体に係止されてなることを特徴とする、
熱交換型換気装置。
【請求項２】
内気吸込口の下方に前記内気吸込口を遮蔽する化粧板を備え、
本体と前記化粧板とが開閉可能に支持されるヒンジ部を備えることを特徴とする、
請求項１に記載の熱交換型換気装置。
【請求項３】
熱交換手段を内包する枠体を有し、
前記枠体は本体組み込み時に排気風路の一部を形成することを特徴とする、
請求項１または２に記載の熱交換型換気装置。
【発明の詳細な説明】
【技術分野】
【０００１】
本発明は、例えば家庭の台所や業務用厨房などの空間に浮遊する油を排気する排気流と、室外の空気を室内へ給気する給気流との間で熱交換する熱交換形換気装置に関するものである。
【背景技術】
【０００２】
近年住宅の高気密化に伴い、家庭の台所や業務用厨房などの換気システムには、汚染空気を浄化して排気するという機能のみならず、排気と同風量の給気を行なうことが求められている。一方で、特に冬または寒冷地においては、室内の暖かい空気を排気し、室外の冷たい空気を給気することで、暖房負荷を増大させるという課題が存在した。
【０００３】
これらの要求・課題を解決するために、給排気経路間で熱交換を行う熱交換形換気装置が開発されてきた。従来、この種の熱交換形換気装置は、屋内に設置されたフード内にファンと熱交換器を設けているものが知られている（例えば、特許文献１参照）。
【０００４】
以下、特許文献１に示す熱交換形換気装置について、図７および図８を参照しながら説明する。
【０００５】
図７に示すように、排気ファンおよび給気ファンを内部に備える給・排気用送風機１０１が天井裏に設置され、また、本体部１０２と熱交換器ケース１０３とパネルケース１０４を有するフード本体１０５が屋内に設置されている。図８に示すように、フード本体１０５の下面は室内空気吸込口１０６とされ、フード本体１０５上部には熱交換器ケース１０３と連通する通気口１０７が形成されている。熱交換器ケース１０３の上面部には室内空気排出口１０８が形成されているとともに外気取入口１０９が形成されている。また、熱交換器ケース１０３の前面部およびパネルケース１０４の後面部にはこの熱交換器ケース１０３とパネルケース１０４内部とを連通する通気口１１０が形成されている。そしてパネルケース１０４の前面部上部には外気供給口１１１が形成されている。また、本体部１０２内部にはグリスフィルタ１１２が配設されている。また、熱交換器ケース１０３の内部には熱交換器１１３が配設されている。
【０００６】
戻って図７に示すように、給・排気用送風機１０１の吸入口１１４とフード本体１０５の室内空気排出口１０８とは排気ダクト１１５によって接続され、また、給・排気用送風機１０１の排気口１１６とフード本体１０５の外気取入口１０９とは給気ダクト１１７により接続されている。さらにまた、給・排気用送風機１０１の吸入口１１４と排気口１１６はそれぞれダクト１１８，１１９を通じて屋外に通じている。
【先行技術文献】
【特許文献】
【０００７】
【特許文献１】特開平４−３６９３３５号公報
【発明の概要】
【発明が解決しようとする課題】
【０００８】
この種の熱交換型換気装置では、ホコリや油分の付着による性能低下を予防するため、しばしば熱交換器のメンテナンスを行う必要があるが、上記した従来の構成では、熱交換器の取り出しに対しては特に言及されておらず、熱交換器の取り出しやすさに課題を残すものであった。
【０００９】
そこで本発明は、上記従来の課題を解決するものであり、取り外し作業がしやすいものであり、また、メンテナンス口を本体側面に設ける必要がなく、特にアイランドキッチン用として設置する場合など外観の良さを大きな価値として求められる場合に、熱交換手段の取り出しやすさと外観のよさを両立させることができる熱交換型換気装置を提供することを目的とする。
【課題を解決するための手段】
【００１０】
そして、この目的を達成するために、下面に開口した内気吸込口と、側面に開口し外気を室内に給気する外気吹出口と、上面に開口した外気吸込口および内気吹出口とを有する、天井から懸架された本体と、この本体内部に、内気を吸込んで屋外へ排出する排気ファンと、外気を吸込んで屋内へ吹出す給気ファンと、内気と外気とを熱交換する熱交換手段と、油滴を捕集するフィルタと、内気吸込口、フィルタ、熱交換手段、排気ファン、内気吹出口の順に連通した排気風路と、外気吸込口、給気ファン、熱交換手段、外気吹出口の順に連通した給気風路を備え、熱交換手段が内気吸込口から挿入されて本体に係止されてなる構成とすることにより、上記課題を解決するものである。
【発明の効果】
【００１１】
本発明によれば、熱交換手段が内気吸込口から挿入されて本体に係止されてなるという構成にしたことにより、このような構成とすることで、熱交換手段を本体下面に開口した内気吸込口から挿入して本体に係止させる構成としたので、メンテナンス時に低い高さにある内気吸込口から熱交換手段を取り外すことができ、踏み台などを使用しなくてもよくなって取り外し作業がしやすいものであり、また、メンテナンス口を本体側面に設ける必要がなく、特にアイランドキッチン用として設置する場合など外観の良さを大きな価値として求められる場合に、熱交換手段の取り出しやすさと外観のよさを両立させることができるという効果を奏するものである。
【図面の簡単な説明】
【００１２】
【図１】本発明の熱交換型換気装置のキッチンへの設置状態を示す概略断面図
【図２】同正面から見た本体の風路構成を示す概略断面図
【図３】同側面から見た本体の風路構成を示す概略断面図
【図４】同熱交換手段および枠体の構成を示す概略斜視図
【図５】同熱交換手段の取り外し時の本体の動作を示す概略断面図
【図６】同側面から見た熱交バイパス時の動作を示す概略断面図
【図７】従来の熱交換型換気装置の構成およびキッチンへの設置状態を示す概略断面図
【図８】同本体部付近を拡大した概略断面図
【発明を実施するための形態】
【００１３】
以下、本発明の実施の形態について図１〜７を参照しながら説明する。
【００１４】
図１に示すように、本体１はキッチンの天井より懸架され、本体１の上面には本体１を通じてキッチンと屋外とを連通する排気ダクト２および給気ダクト３が設けられている。本体１の内部には排気から給気に熱を回収する熱交換手段５を備えており、また、本体１はコンロ４の上方の位置に設置されている。熱交換手段５は、例えば、風路を区分する仕切リブと、積層時の層間高さを規定する仕切枠を複数有する平板状の仕切板を、排気と給気とが互い違いの層を通過するように複数積層させてなるものであり、この仕切板を介して排気から給気に伝熱されるものである。そして、仕切板としてアルミなどの金属を用い、仕切リブおよび仕切枠としてＡＢＳやＰＰなどの樹脂を伝熱板に射出成形してなるものであり、金属を用いるので調理時に発生する高温排気による仕切板の変形や変質に対して強く、仕切リブおよび仕切枠として樹脂を用いるので積層の層間高さや風路区分の幅および風路区分の形状自由度が高くなるものである。
【００１５】
そして、本体１に備えられた電源スイッチ（図示しない）を操作することにより、調理時に発生した油煙を排気ダクト２を通じて屋外へ排気することができる。同時に、屋外より給気ダクト３を通じて外気を取り入れてキッチン内に給気することができる。このとき、本体１内部に備えられた熱交換手段５によって排気から給気に熱を回収できるので、換気を行いつつキッチンの冷房または暖房負荷を削減することができるものである。
【００１６】
その本体１内部の構成について、図２および図３を参照しながら説明する。
【００１７】
図２に示すように、本体１の下面には内気を本体１内に取り入れるための内気吸込口６が開口しており、また、本体１上面には排気ダクト２と接続するための内気吹出口７が開口している。さらに、本体１上面には給気ダクト３と接続するための外気吸込口８が開口しており、本体１の側面には外気をキッチン内に吹出すための外気吹出口９が開口している。本体１側面の下部には外気吹出口９が設けられており、本体１に吸込まれた外気は外気吹出口９に設けられたフィン等の風向変更手段（図示しない）によってキッチンの天井方向に吹出されるように構成されている。
【００１８】
本体１内部の上部には、内気を本体１内に吸込んで排気ダクト２を通じて屋外へ吹出すための排気ファン１０と、外気を給気ダクト３を通じて本体１内に吸込んでキッチン内へ吹出すための給気ファン１１と、排気ファン１０および給気ファン１１を駆動させるためのモータ１２が備えられている。
【００１９】
本体１内部の下部には熱交換手段５が備えられている。図３に示すように、熱交換手段５は、枠体１３に内包されており、この枠体１３によって本体１に係止される。枠体１３の側面には本体１に設けられた凹部１４に嵌合する爪部１５が形成されており、この爪部１５によって枠体１３は本体１に係止されている。また、枠体１３は熱交換手段５の側面を覆う板状に形成されており、側面の一部が本体１に形成された外気または内気が通る風路を仕切る仕切部に合わせるように本体１に挿入され、本体１に係止されたときに本体１内部の仕切部と一体となって風路を形成している。
【００２０】
また、図４に示すように、爪部１５は枠体１３の下部に、枠体１３の一部を切り欠くようにして形成されている。爪部１５には凹部１４と嵌合する凸部１６が設けられており、また、爪部１５の先端には押し部１７が設けられている。押し部１７を押すことにより、爪部１５の弾性によって凹部１４から凸部１６が外れるようになっている。
【００２１】
本体１の下部には油滴を取り除くフィルタ１８が備えられ、フィルタ１８は図示しない嵌合部によって本体１に支持されている。フィルタ１８の下方にはフィルタ１８を遮蔽するように化粧板１９が備えられ、化粧板１９は本体１と開閉可能に支持するヒンジ部２０によって支持されており、本体１から突出した突出部２１に備えられたストッパ部２２によって通常使用時は開かないように係止されている。
【００２２】
図２に示すように、本体１内部には、内気吸込口６、フィルタ１８、熱交換手段５、排気ファン１０、内気吹出口７の順に連通する排気風路２３が形成され、外気吸込口８、給気ファン１１、熱交換手段５、外気吹出口９の順に連通する給気風路２４が形成されている。さらに、内気吸込口６、フィルタ１８、排気ファン１０の順に連通し、内気吸込口６から熱交換手段５を通らないで排気ファン１０の吸込口へと繋がる熱交バイパス風路２５が形成されている。熱交バイパス風路２５のフィルタ１８近傍には、熱交バイパス風路２５を閉塞または開放できる板状のバイパスダンパ２６が備えられ、本体１にはバイパスダンパ２６を回転可能に軸支するダンパモータ２７が備えられている。
【００２３】
上記構成において、その換気運転時の動作を図２〜図３を用いて説明する。図２の矢符２８〜矢符３０は排気風路２３、矢符３１〜矢符３２は給気風路２４を示している。本体１に備えられた電源スイッチ（図示せず）を操作することによって換気運転が開始し、キッチンから吸込まれた内気は矢符２８に示すように本体１と化粧板１９の間の隙間を通ってフィルタ１８を通過して本体１内に吸込まれる。
【００２４】
フィルタ１８の作用によって油滴が取り除かれて本体１内に吸込まれた内気は、熱交換手段５を通過して外気と熱交換される。熱交換手段５にて熱交換された内気は矢符２９に示すように排気ファン１０へ吸込まれる。排気ファン１０によって昇圧された内気は矢符３０に示すように内気吹出口７に流れ、内気吹出口７から排気ダクト２を通って屋外へと排出される。
【００２５】
一方、屋外から給気ダクト３を通って外気吸込口８を介して本体１内に吸込まれた外気は、矢符３１に示すように給気ファン１１へ吸込まれる。給気ファン１１によって昇圧された外気は、矢符３２に示すように熱交換手段５へと流れる。熱交換手段５によって外気は内気と熱交換され、外気吹出口９よりキッチンの天井に向かって吹出される。外気吹出口９から吹出された外気はキッチンの天井付近の空気を押し出しながら混じりあい、キッチン内の空気を攪拌して天井付近の気温と床付近の気温との差を小さくする作用がある。このようにして、換気を行いつつ排出する内気と屋外から取り込んだ外気と熱交換して熱回収することでキッチンの暖房もしくは冷房負荷を削減するものである。
【００２６】
ここで、本発明におけるそのメンテナンス時の動作および作用について、図５を用いて説明する。メンテナンス時には、使用者は本体１下部の化粧板１９のストッパ部２２、例えば引っ掛け具を外し、ヒンジ部２０を中心として下方に回転させて化粧板１９を開く。次に、フィルタ１８を本体１から取り外し、熱交換手段５および枠体１３を目視可能にする。
【００２７】
次に熱交換手段５を取り外すが、ここで本発明における構成では熱交換手段５が枠体１３に内包された状態で内気吸込口６から挿入されて本体１に係止されているので、熱交換手段５を取り外す際は、枠体１３の爪部１５に設けられた押し部１７を押して凹部１４との係止を外し、本体１下面に開口された内気吸込口６から枠体１３ごと下方に取り外す。そして、水洗い等によって熱交換手段５に付着した油汚れなどを落とし、再び内気吸込口６から熱交換手段５を枠体１３ごと上方に挿入し、本体１に係止する。
【００２８】
このような構成とすることにより、メンテナンス時に、本体１の下面といった目線より低い高さに設けられている内気吸込口６から熱交換手段５を取り外すことができるので、踏み台などを使用しなくてもよく取り外し作業がしやすくなるものである。また、熱交換手段５を取り外すためのメンテナンス口を本体１側面に設けなくてよいので、特にアイランドキッチン用として設置する場合など外観の良さを大きな価値として求められる場合に、熱交換手段５の取り出しやすさと外観のよさを両立させることができるものである。
【００２９】
また、ヒンジ部２０によって化粧板１９を本体１に支持する構成であるので、メンテナンスの際に化粧板１９を床面に落下させることがなく、作業がしやすいものである。
【００３０】
また、枠体１３は本体１組込み時に本体１内の、排気風路２３と、給気風路２４および熱交バイパス風路２５とを仕切る仕切部と一体となって排気風路２３の一部を形成するので、枠体１３の取り外し時に本体１内部にある風路仕切部分の一部が取り除かれ、本体１内に手を入れやすくなって内部の清掃がしやすいものである。
【００３１】
また、図３に示すように、熱交バイパス風路２５と、熱交バイパス風路２５を閉塞または開放できる板状のバイパスダンパ２６と、バイパスダンパ２６を回転稼動可能に軸支するダンパモータ２７を備えている。図６に示すように、熱交バイパス風路２５を開放すると、排気ファン１０によって吸込まれる内気は、矢符３３に示すように内気吸込口６から熱交換手段５を通らず、熱交換手段５による通風抵抗を受けないで排気ファン１０に達するので、より多くの内気を屋外へ排気することができる。煙が多く発生する調理を行うときなど、急速な排気が求められる場合や、中間期など排気からの熱回収を求められない場合などに、上記作用によって、排気風量を増加できるものである。
【００３２】
なお、排気ファン１０と給気ファン１１を１軸で駆動させるいわゆる１モータ２ファンの構成としてもよい。このような構成とすることでモータが占有する空間を風路に当てることができ、排気風量および給気風量の増加につながることになる。
【００３３】
上記した構成および作用により、本発明における熱交換型換気装置は、熱交換手段５を本体１下面に開口した内気吸込口６から挿入して本体１に係止させる構成としたので、メンテナンス時に低い高さにある内気吸込口６から熱交換手段５を取り外すことができ、踏み台などを使用しなくてもよくなって取り外し作業がしやすいものであり、また、メンテナンス口を本体１側面に設ける必要がなく、特にアイランドキッチン用として設置する場合など外観の良さを大きな価値として求められる場合に、熱交換手段５の取り出しやすさと外観のよさを両立させることができるという効果を奏するものである。
【産業上の利用可能性】
【００３４】
本発明にかかる熱交換形換気装置は、メンテナンス時に熱交換手段を取り出しやすくできるものであるので、例えば家庭の台所や業務用厨房などの空間に浮遊する油などを含む排気と、屋外から室内への給気との間で熱交換する熱交換形換気装置等として有用である。
【符号の説明】
【００３５】
１    本体
５    熱交換手段
６    内気吸込口
７    内気吹出口
８    外気吸込口
９    外気吹出口
１０  排気ファン
１１  給気ファン
１３  枠体
１８  フィルタ
１９  化粧板
２０  ヒンジ部
２３  排気風路
２４  給気風路
【図１】
2013124817.tif 000003
【図２】
2013124817.tif 000004
【図３】
2013124817.tif 000005
【図４】
2013124817.tif 000006
【図５】
2013124817.tif 000007
【図６】
2013124817.tif 000008
【図７】
2013124817.tif 000009
【図８】
2013124817.tif 000010